(57)【要約】【課題】随伴走行作業車両の旋回が終了すると、自律走行作業車両が作業を再開できるようにする。【解決手段】自律走行作業車両１の制御装置３０は、随伴走行作業車両１００に設けた遠隔操作装置１１２と通信可能とされ、枕地旋回して設定距離走行すると一旦停止し、随伴走行作業車両１００に設けた旋回終了確認スイッチ１１４の再開始信号が遠隔操作装置１１２を介して受信すると、あるいは、随伴走行作業車両１００に設けた操向センサ１２０の検出値が遠隔操作装置１１２を介して自律走行作業車両１の制御装置３０に送信され、随伴走行作業車両１００が旋回して枕地旋回を終了したと認識すると、作業を再開する。【選択図】図４
2015186473.tif 000002
【特許請求の範囲】
【請求項１】
衛星測位システムを利用して機体の位置を測位する位置算出手段と、操舵装置を作動させる操舵アクチュエータと、エンジン回転制御手段と、変速手段と、これらを制御する制御装置とを備えた自律走行作業車両を、前記制御装置に記憶させた設定走行経路に沿って自律走行させるとともに、該自律走行作業車両に随伴走行しながら作業を行う随伴走行作業車両に搭載する遠隔操作装置により自律走行作業車両を操作可能とする併走作業車両の制御システムであって、自律走行作業車両の制御装置は、随伴走行作業車両に設けた遠隔操作装置と通信可能とされ、枕地旋回して設定距離走行すると一旦停止し、随伴走行作業車両の遠隔操作装置からの再開始信号を受信すると、作業を再開するように制御することを特徴とする作業車両の制御装置。
【請求項２】
衛星測位システムを利用して機体の位置を測位する位置算出手段と、操舵装置を作動させる操舵アクチュエータと、エンジン回転制御手段と、変速手段と、これらを制御する制御装置とを備えた自律走行作業車両を、前記制御装置に記憶させた設定走行経路に沿って自律走行させるとともに、該自律走行作業車両に随伴走行しながら作業を行う随伴走行作業車両に搭載する遠隔操作装置により自律走行作業車両を操作可能とする併走作業車両の制御システムであって、前記自律走行作業車両の制御装置は、随伴走行作業車両に設けた遠隔操作装置と通信可能とされ、枕地旋回して設定距離走行すると一旦停止し、前記随伴走行作業車両に設けた操向センサの検出値が遠隔操作装置を介して自律走行作業車両の制御装置に送信され、随伴走行作業車両が旋回して枕地旋回を終了したと認識すると、作業を再開するように制御することを特徴とする作業車両の制御装置。
【請求項３】
衛星測位システムを利用して機体の位置を測位する位置算出手段と、操舵装置を作動させる操舵アクチュエータと、エンジン回転制御手段と、変速手段と、これらを制御する制御装置とを備えた自律走行作業車両を、前記制御装置に記憶させた設定走行経路に沿って自律走行させるとともに、該自律走行作業車両に随伴走行しながら作業を行う随伴走行作業車両に搭載する遠隔操作装置により自律走行作業車両を操作可能とする併走作業車両の制御システムであって、前記自律走行作業車両の制御装置は、随伴走行作業車両に設けた遠隔操作装置と通信可能とされ、枕地旋回して設定距離走行すると一旦停止し、前記随伴走行作業車両に設けた方位センサの検出値が遠隔操作装置を介して自律走行作業車両の制御装置に送信され、随伴走行作業車両が旋回し枕地旋回を終了したと認識すると、作業を再開するように制御することを特徴とする作業車両の制御装置。
【請求項４】
衛星測位システムを利用して機体の位置を測位する位置算出手段と、操舵装置を作動させる操舵アクチュエータと、エンジン回転制御手段と、変速手段と、これらを制御する制御装置とを備えた自律走行作業車両を、前記制御装置に記憶させた設定走行経路に沿って自律走行させるとともに、該自律走行作業車両に随伴走行しながら作業を行う随伴走行作業車両に搭載する遠隔操作装置により自律走行作業車両を操作可能とする併走作業車両の制御システムであって、前記自律走行作業車両の制御装置は、随伴走行作業車両に設けた遠隔操作装置と通信可能とされ、前記自律走行作業車両には随伴走行作業車両側に向けてカメラが設けられ、自律走行作業車両の制御装置は、枕地旋回して設定距離走行すると一旦停止し、前記カメラで随伴走行作業車両の枕地旋回を認識すると、作業を再開するように制御することを特徴とする作業車両の制御装置。
【請求項５】
衛星測位システムを利用して機体の位置を測位する位置算出手段と、操舵装置を作動させる操舵アクチュエータと、エンジン回転制御手段と、変速手段と、これらを制御する制御装置とを備えた自律走行作業車両を、前記制御装置に記憶させた設定走行経路に沿って自律走行させるとともに、該自律走行作業車両に随伴走行しながら作業を行う随伴走行作業車両に搭載する遠隔操作装置により自律走行作業車両を操作可能とする併走作業車両の制御システムであって、前記自律走行作業車両の制御装置は、随伴走行作業車両に設けた遠隔操作装置と通信可能とされ、枕地旋回して設定距離走行すると一旦停止し、前記随伴走行作業車両に設けた作業機昇降検知手段の検出値が遠隔操作装置を介して自律走行作業車両の制御装置に送信され、随伴走行作業車両が旋回する前に作業機を上昇し、枕地旋回を終了して作業機を下げたときに枕地旋回の終了と認識すると、作業を再開するように制御することを特徴とする作業車両の制御装置。
【請求項６】
衛星測位システムを利用して機体の位置を測位する位置算出手段と、操舵装置を作動させる操舵アクチュエータと、エンジン回転制御手段と、変速手段と、これらを制御する制御装置とを備えた自律走行作業車両を、前記制御装置に記憶させた設定走行経路に沿って自律走行させるとともに、該自律走行作業車両に随伴走行しながら作業を行う随伴走行作業車両に搭載する遠隔操作装置により自律走行作業車両を操作可能とする併走作業車両の制御システムであって、前記自律走行作業車両の制御装置は、随伴走行作業車両に設けた遠隔操作装置と通信可能とされ、枕地旋回して設定距離走行すると一旦停止し、前記随伴走行作業車両に設けた走行速度検知手段の検出値が遠隔操作装置を介して自律走行作業車両の制御装置に送信され、随伴走行作業車両が速度を落として旋回し停止したときを枕地旋回の終了として認識すると、作業を再開するように制御することを特徴とする作業車両の制御装置。
【発明の詳細な説明】
【技術分野】
【０００１】
本発明は、作業車両の制御装置に関し、自律走行する無人の自律走行作業車両と、この自律走行作業車両に随伴して併走走行する有人の随伴走行作業車両とにより作業を行う場合において、枕地等で旋回するときに自律走行作業車両と随伴走行作業車両が併走走行を維持するための制御技術に関する。
【背景技術】
【０００２】
従来、マスター車両がオペレータにより運転操作され、スレーブ車両が無人車両として、マスター車両及びスレーブ車両はそれぞれ制御装置を備え、無線により車両間の連絡を可能とし、スレーブ車両はマスター車両に対して平行運転が可能なプログラムが備えられている。そして、マスター車両とスレーブ車両には距離測定装置を備え、マスター車両とスレーブ車両の間の距離が所定距離となるように調整される技術が公知となっている（例えば、特許文献１参照）。
【先行技術文献】
【特許文献】
【０００３】
【特許文献１】特表２００１−５０７８４３号公報
【発明の概要】
【発明が解決しようとする課題】
【０００４】
前記技術において、マスター車両とスレーブ車両が圃場端に至ると、スレーブ車両は手動操作に切り替えて、オペレータがスレーブ車両を運転して次の作業路に移動するようにしていた。従って、圃場端に至る毎に両車両を停止させて、乗り換えて一台ずつ旋回させる必要があった。そのため作業効率が悪くなっていた。
【０００５】
本発明は以上の如き状況に鑑みてなされたものであり、自律走行する自律走行作業車両が圃場端に至ると枕地旋回し、旋回終了後に一端停止して、有人の随伴走行作業車両が枕地で旋回を終了するのを待ち、随伴走行作業車両の旋回が終了すると、自律走行作業車両は作業を再開するようにしようとする。
【課題を解決するための手段】
【０００６】
本発明の解決しようとする課題は以上の如くであり、次にこの課題を解決するための手段を説明する。
即ち、請求項１においては、衛星測位システムを利用して機体の位置を測位する位置算出手段と、操舵装置を作動させる操舵アクチュエータと、エンジン回転制御手段と、変速手段と、これらを制御する制御装置とを備えた自律走行作業車両を、前記制御装置に記憶させた設定走行経路に沿って自律走行させるとともに、該自律走行作業車両に随伴走行しながら作業を行う随伴走行作業車両に搭載する遠隔操作装置により自律走行作業車両を操作可能とする併走作業車両の制御システムであって、自律走行作業車両の制御装置は、随伴走行作業車両に設けた遠隔操作装置と通信可能とされ、枕地旋回して設定距離走行すると一旦停止し、随伴走行作業車両の遠隔操作装置からの再開始信号を受信すると、作業を再開するように制御するものである。
【０００７】
請求項２においては、前記自律走行作業車両の制御装置は、随伴走行作業車両に設けた遠隔操作装置と通信可能とされ、枕地旋回して設定距離走行すると一旦停止し、前記随伴走行作業車両に設けた操向センサの検出値が遠隔操作装置を介して自律走行作業車両の制御装置に送信され、随伴走行作業車両が旋回して枕地旋回を終了したと認識すると、作業を再開するように制御するものである。
【０００８】
請求項３においては、前記自律走行作業車両の制御装置は、随伴走行作業車両に設けた遠隔操作装置と通信可能とされ、枕地旋回して設定距離走行すると一旦停止し、前記随伴走行作業車両に設けた方位センサの検出値が遠隔操作装置を介して自律走行作業車両の制御装置に送信され、随伴走行作業車両が旋回し枕地旋回を終了したと認識すると、作業を再開するように制御するものである。
【０００９】
請求項４においては、前記自律走行作業車両の制御装置は、随伴走行作業車両に設けた遠隔操作装置と通信可能とされ、前記自律走行作業車両には随伴走行作業車両側に向けてカメラが設けられ、自律走行作業車両の制御装置は、枕地旋回して設定距離走行すると一旦停止し、前記カメラで随伴走行作業車両の枕地旋回を認識すると、作業を再開するように制御するものである。
請求項５においては、前記自律走行作業車両の制御装置は、随伴走行作業車両に設けた遠隔操作装置と通信可能とされ、枕地旋回して設定距離走行すると一旦停止し、前記随伴走行作業車両に設けた作業機昇降検知手段の検出値が遠隔操作装置を介して自律走行作業車両の制御装置に送信され、随伴走行作業車両が旋回する前に作業機を上昇し、枕地旋回を終了して作業機を下げたときに枕地旋回の終了と認識すると、作業を再開するように制御するものである。
請求項６においては、前記自律走行作業車両の制御装置は、随伴走行作業車両に設けた遠隔操作装置と通信可能とされ、枕地旋回して設定距離走行すると一旦停止し、前記随伴走行作業車両に設けた走行速度検知手段の検出値が遠隔操作装置を介して自律走行作業車両の制御装置に送信され、随伴走行作業車両が速度を落として旋回し停止したときを枕地旋回の終了として認識すると、作業を再開するように制御するものである。
【発明の効果】
【００１０】
以上のような手段を用いることにより、自律走行作業車両が圃場端に至り、旋回して、自動的に随伴走行作業車両を待ち、随伴走行作業車両の旋回を確認して作業を再開するので、オペレータは自律走行作業車両に乗り換えて、手動で自律走行作業車両を旋回操作する必要がなく、効率よく作業ができ、二台がバラバラに作業することもない。
【図面の簡単な説明】
【００１１】
【図１】自律走行作業車両とＧＰＳ衛星と基準局を示す概略側面図。
【図２】制御ブロック図。
【図３】枕地旋回制御を示すフローチャート図。
【図４】併走作業の圃場端前の状態を示す図。
【図５】併走作業の圃場端での旋回状態を示す図。
【図６】併走作業の圃場端での待機状態を示す図。
【図７】前後一列作業の状態を示す図。
【図８】圃場端での旋回状態を示す図。
【発明を実施するための形態】
【００１２】
無人で自動走行可能な自律走行作業車両１、及び、この自律走行作業車両１に随伴してオペレータが操向操作する有人の随伴走行作業車両１００をトラクタとし、自律走行作業車両１及び随伴走行作業車両１００には作業機としてロータリ耕耘装置がそれぞれ装着されている実施例について説明する。但し、作業車両はトラクタに限定するものではなく、コンバイン等でもよく、また、作業機はロータリ耕耘装置に限定するものではなく、畝立て機や草刈機やレーキや播種機や施肥機やワゴン等であってもよい。
【００１３】
図１、図２において、自律走行作業車両１となるトラクタの全体構成について説明する。ボンネット２内にエンジン３が内設され、該ボンネット２の後部のキャビン１１内にダッシュボード１４が設けられ、ダッシュボード１４上に操向操作手段となるステアリングハンドル４が設けられている。該ステアリングハンドル４の回動により操舵装置を介して前輪９・９の向きが回動される。自律走行作業車両１の操舵方向は操向センサ２０により検知される。操向センサ２０はロータリエンコーダ等の角度センサからなり、前輪９の回動基部に配置される。但し、操向センサ２０の検知構成は限定するものではなく操舵方向が認識されるものであればよく、ステアリングハンドル４の回動を検知したり、パワーステアリングの作動量を検知してもよい。操向センサ２０により得られた検出値は制御装置３０に入力される。制御装置３０はＣＰＵ（中央演算処理装置）やＲＡＭやＲＯＭ等の記憶装置やインターフェース等を備え、記憶装置には自律走行作業車両１を動作させるためのプログラムやデータ等が記憶される。
【００１４】
前記ステアリングハンドル４の後方に運転席５が配設され、運転席５下方にミッションケース６が配置される。ミッションケース６の左右両側にリアアクスルケース８・８が連設され、該リアアクスルケース８・８には車軸を介して後輪１０・１０が支承される。エンジン３からの動力はミッションケース６内の変速装置（主変速装置や副変速装置）により変速されて、後輪１０・１０を駆動可能としている。変速装置は例えば油圧式無段変速装置で構成して、可変容量型の油圧ポンプの可動斜板をモータ等の変速手段４４により作動させて変速可能としている。変速手段４４は制御装置３０と接続されている。後輪１０の回転数は車速センサ２７により検知され、走行速度として制御装置３０に入力される。但し、車速の検知方法や車速センサ２７の配置位置は限定するものではない。
【００１５】
ミッションケース６内にはＰＴＯクラッチやＰＴＯ変速装置が収納され、ＰＴＯクラッチはＰＴＯ入切手段４５により入り切りされ、ＰＴＯ入切手段４５は制御装置３０と接続され、ＰＴＯ軸への動力の断接を制御可能としている。
【００１６】
前記エンジン３を支持するフロントフレーム１３にはフロントアクスルケース７が支持され、該フロントアクスルケース７の両側に前輪９・９が支承され、前記ミッションケース６からの動力が前輪９・９に伝達可能に構成している。前記前輪９・９は操舵輪となっており、ステアリングハンドル４の回動操作により回動可能とするとともに、操舵装置の駆動手段となるパワステシリンダからなる操舵アクチュエータ４０により前輪９・９が左右操舵回動可能となっている。操舵アクチュエータ４０は制御装置３０と接続され、自動走行手段により制御されて駆動される。
【００１７】
制御装置３０にはエンジン回転制御手段となるエンジンコントローラ６０が接続され、エンジンコントローラ６０にはエンジン回転数センサ６１や水温センサや油圧センサ等が接続され、エンジンの状態を検知できるようにしている。エンジンコントローラ６０では設定回転数と実回転数から負荷を検出し、過負荷とならないように制御するとともに、後述する遠隔操作装置１１２にエンジン３の状態を送信してディスプレイ１１３で表示できるようにしている。
【００１８】
また、ステップ下方に配置した燃料タンク１５には燃料の液面を検知するレベルセンサ２９が配置されて制御装置３０と接続され、自律走行作業車両１のダッシュボードに設ける表示手段４９には燃料の残量を表示する燃料計が設けられ制御装置３０と接続されている。そして、制御装置３０から遠隔操作装置１１２に燃料残量に関する情報が送信されて、遠隔操作装置１１２のディスプレイ１１３に燃料残量と作業可能時間が表示される。
【００１９】
前記ダッシュボード１４上にはエンジンの回転計や燃料計や油圧等や異常を示すモニタや設定値等を表示する表示手段４９が配置されている。
【００２０】
また、トラクタ機体後方に作業機装着装置２３を介して作業機としてロータリ耕耘装置２４が昇降自在に装設させて耕耘作業を行うように構成している。前記ミッションケース６上に昇降シリンダ２６が設けられ、該昇降シリンダ２６を伸縮させることにより、作業機装着装置２３を構成する昇降アームを回動させてロータリ耕耘装置２４を昇降できるようにしている。昇降シリンダ２６は昇降アクチュエータ２５の作動により伸縮され、昇降アクチュエータ２５は制御装置３０と接続されている。
【００２１】
制御装置３０には衛星測位システムを構成する移動通信機３３が接続されている。移動通信機３３には移動ＧＰＳアンテナ３４とデータ受信アンテナ３８が接続され、移動ＧＰＳアンテナ３４とデータ受信アンテナ３８は前記キャビン１１上に設けられる。該移動通信機３３には、位置算出手段を備えて緯度と経度を制御装置３０に送信し、現在位置を把握できるようにしている。なお、ＧＰＳ（米国）に加えて準天頂衛星(日本)やグロナス衛星（ロシア）等の衛星測位システム（ＧＮＳＳ）を利用することで精度の高い測位ができるが、本実施形態ではＧＰＳを用いて説明する。
【００２２】
自律走行作業車両１は、機体の姿勢変化情報を得るためにジャイロセンサ３１、および進行方向を検知するために方位センサ３２を具備し制御装置３０と接続されている。但し、ＧＰＳの位置計測から進行方向を算出できるので、方位センサ３２を省くことができる。
ジャイロセンサ３１は自律走行作業車両１の機体前後方向の傾斜（ピッチ）の角速度、機体左右方向の傾斜（ロール）の角速度、および旋回（ヨー）の角速度、を検出するものである。該三つの角速度を積分計算することにより、自律走行作業車両１の機体の前後方向および左右方向への傾斜角度、および旋回角度を求めることが可能である。ジャイロセンサ３１の具体例としては、機械式ジャイロセンサ、光学式ジャイロセンサ、流体式ジャイロセンサ、振動式ジャイロセンサ等が挙げられる。ジャイロセンサ３１は制御装置３０に接続され、当該三つの角速度に係る情報を制御装置３０に入力する。
【００２３】
方位センサ３２は自律走行作業車両１の向き（進行方向）を検出するものである。方位センサ３２の具体例としては磁気方位センサ等が挙げられる。方位センサ３２は制御装置３０に接続され、機体の向きに係る情報を制御装置３０に入力する。
【００２４】
こうして制御装置３０は、上記ジャイロセンサ３１、方位センサ３２から取得した信号を姿勢・方位演算手段により演算し、自律走行作業車両１の姿勢（向き、機体前後方向及び機体左右方向の傾斜、旋回方向）を求める。
【００２５】
次に、自律走行作業車両１の位置情報をＧＰＳ（グローバル・ポジショニング・システム）を用いて取得する方法について説明する。
ＧＰＳは、元来航空機・船舶等の航法支援用として開発されたシステムであって、上空約二万キロメートルを周回する二十四個のＧＰＳ衛星（六軌道面に四個ずつ配置）、ＧＰＳ衛星の追跡と管制を行う管制局、測位を行うための利用者の通信機で構成される。
ＧＰＳを用いた測位方法としては、単独測位、相対測位、ＤＧＰＳ（ディファレンシャルＧＰＳ）測位、ＲＴＫ−ＧＰＳ（リアルタイムキネマティック−ＧＰＳ）測位など種々の方法が挙げられ、これらいずれの方法を用いることも可能であるが、本実施形態では測定精度の高いＲＴＫ−ＧＰＳ測位方式を採用し、この方法について図１、図２より説明する。
【００２６】
ＲＴＫ−ＧＰＳ（リアルタイムキネマティック−ＧＰＳ）測位は、位置が判っている基準局と、位置を求めようとする移動局とで同時にＧＰＳ観測を行い、基準局で観測したデータを無線等の方法で移動局にリアルタイムで送信し、基準局の位置成果に基づいて移動局の位置をリアルタイムに求める方法である。
【００２７】
本実施形態においては、自律走行作業車両１に移動局となる移動通信機３３と移動ＧＰＳアンテナ３４とデータ受信アンテナ３８が配置され、基準局となる固定通信機３５と固定ＧＰＳアンテナ３６とデータ送信アンテナ３９が圃場の作業の邪魔にならない所定位置に配設される。本実施形態のＲＴＫ−ＧＰＳ（リアルタイムキネマティック−ＧＰＳ）測位は、基準局および移動局の両方で位相の測定（相対測位）を行い、基準局の固定通信機３５で測位したデータをデータ送信アンテナ３９からデータ受信アンテナ３８に送信する。
【００２８】
自律走行作業車両１に配置された移動ＧＰＳアンテナ３４はＧＰＳ衛星３７・３７・・・からの信号を受信する。この信号は移動通信機３３に送信され測位される。そして、同時に基準局となる固定ＧＰＳアンテナ３６でＧＰＳ衛星３７・３７・・・からの信号を受信し、固定通信機３５で測位し移動通信機３３に送信し、観測されたデータを解析して移動局の位置を決定する。こうして得られた位置情報は制御装置３０に送信される。
【００２９】
こうして、この自律走行作業車両１における制御装置３０は自動走行させる自動走行手段を備えて、自動走行手段はＧＰＳ衛星３７・３７・・・から送信される電波を受信して移動通信機３３において設定時間間隔で機体の位置情報を求め、ジャイロセンサ３１及び方位センサ３２から機体の変位情報および方位情報を求め、これら位置情報と変位情報と方位情報に基づいて機体が予め設定した設定経路に沿って走行するように、操舵アクチュエータ４０、変速手段４４、昇降アクチュエータ２５、ＰＴＯ入切手段４５、エンジンコントローラ６０等を制御して自動走行し自動で作業できるようにしている。なお、作業範囲となる圃場Ｈの外周の位置情報も周知の方法によって予め設定され、記憶装置に記憶されている。
【００３０】
また、自律走行作業車両１には障害物センサ４１が配置されて制御装置３０と接続され、障害物に当接しないようにしている。例えば、障害物センサ４１はレーザセンサや超音波センサで構成して機体の前部や側部や後部に配置して制御装置３０と接続し、機体の前方や側方や後方に障害物があるかどうかを検出し、障害物が設定距離以内に近づくと走行を停止させるように制御する。
【００３１】
また、自律走行作業車両１には前方や後方や作業機を撮影するカメラ４２が搭載され制御装置３０と接続されている。カメラ４２で撮影された映像は随伴走行作業車両１００に備えられた遠隔操作装置１１２のディスプレイ１１３に表示されるようにしている。ただし、ディスプレイ１１３の表示画面が小さい場合は大きい別のディスプレイで表示したり、カメラ映像は別の専用のディスプレイで常時または選択的に表示したり、自律走行作業車両１に設けた表示手段４９で表示したりすることも可能である。また、前記カメラ４２は一つのカメラ４２を機体中心に配置して鉛直軸を中心に回転させて周囲を撮影しても、複数のカメラ４２を機体の前部や後部または四隅に配置して機体周囲を撮影する構成であってもよく限定するものではない。
【００３２】
遠隔操作装置１１２は前記自律走行作業車両１の走行経路Ｒを設定したり、自律走行作業車両１を遠隔操作したり、自律走行作業車両１の走行状態や作業機の作動状態を監視したり、作業データを記憶したりするものである。
【００３３】
有人走行車両となる随伴走行作業車両１００はオペレータが乗車して運転操作するとともに、随伴走行作業車両１００に遠隔操作装置１１２を搭載して自律走行作業車両１を操作可能としている。随伴走行作業車両１００の基本構成は自律走行作業車両１と略同じ構成であるので詳細な説明は省略する。なお、随伴走行作業車両１００にはＧＰＳ用の移動通信機３３や移動ＧＰＳアンテナ３４を備える構成とすることも可能である。
【００３４】
遠隔操作装置１１２は、随伴走行作業車両１００及び自律走行作業車両１のダッシュボード等の操作部に着脱可能としている。遠隔操作装置１１２は随伴走行作業車両１００のダッシュボードに取り付けたまま操作することも、随伴走行作業車両１００の外に持ち出して携帯して操作することも、自律走行作業車両１のダッシュボードに取り付けて操作可能としている。遠隔操作装置１１２は例えばノート型やタブレット型のパーソナルコンピュータで構成することができる。本実施形態ではタブレット型のコンピュータで構成している。
【００３５】
さらに、遠隔操作装置１１２と自律走行作業車両１は無線で相互に通信可能に構成しており、自律走行作業車両１と遠隔操作装置１１２には通信するための送受信機１１０・１１１がそれぞれ設けられている。送受信機１１１は遠隔操作装置１１２に一体的に構成されている。通信手段は例えばＷｉＦｉ等の無線ＬＡＮで相互に通信可能に構成されている。遠隔操作装置１１２は画面に触れることで操作可能なタッチパネル式の操作画面としたディスプレイ１１３を筐体表面に設け、筐体内に送受信機１１１やＣＰＵや記憶装置やバッテリ等を収納している。該ディスプレイ１１３には、前記カメラ４２で撮影した周囲の画像や自律走行作業車両１の状態や作業の状態やＧＰＳに関する情報や操作画面等を表示できるようにし、オペレータが監視できるようにしている。
【００３６】
図４に示すように、自律走行作業車両１は設定走行経路Ｒに沿って走行し、その斜め後方（側方であってもよい）を随伴走行作業車両１００が走行して、随伴走行作業車両１００が自律走行作業車両１を監視しながら作業を行う。
また、前記自律走行作業車両１は遠隔操作装置１１２により遠隔操作可能としている。例えば、遠隔操作装置１１２の操作により自律走行作業車両１の緊急停止や一時停止や再発進や車速の変更やエンジン回転数の変更や作業機の昇降やＰＴＯクラッチの入り切り等を操作できるようにしている。つまり、遠隔操作装置１１２から送受信機１１１、送受信機１１０、制御装置３０を介してアクセルアクチュエータや変速手段４４やＰＴＯ入切手段４５等を制御し作業者が容易に自律走行作業車両１を遠隔操作できるのである。
【００３７】
また、随伴走行作業車両１００には、制御装置１３０が備えられ、該制御装置１３０は遠隔操作装置１１２と通信可能としている。また、随伴走行作業車両１００には前記自律走行作業車両の操向センサ２０と同様に構成した操向センサ１２０が設けられ制御装置１３０と接続されている。こうして、随伴走行作業車両１００のステアリングハンドルの操向操作が操向センサ１２０により検知され、制御装置１３０に入力される。制御装置１３０からは、通信手段を介して遠隔操作装置１１２に操向操作信号が送信され、遠隔操作装置１１２の制御装置１３０は操向操作信号から機体が枕地旋回したか判断する。例えば、枕地旋回は、ステアリングハンドルを最大限回動して所定距離走行すると戻しながら１８０度機体の方向を変更するので、容易に枕地旋回と認識できる。なお、この操向センサ１２０は、前記自律走行作業車両の操向センサ２０と同様に、ロータリエンコーダ等の角度センサで構成して、前輪９やナックルアームやステアリングハンドル４党の操向装置の回動を検知したり、パワーステアリングの作動量を検知するように構成しており、操舵方向が認識されるものであれば限定するものではない。ただし、随伴走行作業車両１００の枕地旋回の終了の判断は制御装置３０が行っても制御装置１３０が行ってもよい。
【００３８】
また、枕地旋回を判断するために、随伴走行作業車両１００に方位センサ１３２を備える構成であってもよい。方位センサ１３２は制御装置１３０と接続されている。こうして、随伴走行作業車両１００が旋回して進行方向が変更されると、方位センサ１３２により進行方向の方位が検知され、制御装置１３０に入力される。制御装置１３０からは、通信手段を介して遠隔操作装置１１２に方位信号が送信され、遠隔操作装置１１２の制御装置は方位信号から機体が枕地旋回したか判断する。例えば、方位センサ１３２が機体の方向が徐々に変更され１８０度向きが変更されたことにより容易に枕地旋回と認識できる。
【００３９】
また、枕地旋回を判断するために、自律走行作業車両１に設けたカメラ４２により、随伴走行作業車両１００を撮影し、その映像から枕地旋回したかを判断してもよい。カメラ４２は、随伴走行作業車両１００のキャビン１１上部に設けて斜め後方を撮影するように配置し、または、カメラ４２を機体中心に配置して回転させて外周を撮影するようにしてもよい。こうして、自律走行作業車両１が枕地旋回した後に、カメラ４２により撮影した画像が制御装置３０に入力され、制御装置３０は斜め後方に随伴走行作業車両１００が存在しているか画像処理して判断し、随伴走行作業車両１００を確認すると、自律走行作業車両１は随伴走行作業車両１００の枕地旋回が終了したと判断する。
【００４０】
また、枕地旋回を判断するために、随伴走行作業車両１００の作業機（ロータリ耕耘装置２４）の昇降を検知する作業機昇降検知手段を設けて、枕地旋回後に作業機を下げたことを枕地旋回終了と判断することも可能である。つまり、随伴走行作業車両１００の作業機昇降検知手段としては、昇降スイッチや作業機装着装置（リフトアームやロアリンク）の回動を検知する角度センサ１２１等であり、随伴走行作業車両１００が圃場端に至ると作業機を上昇させ、枕地旋回後に作業機を下げる。この作業機の上昇信号と下降信号を自律走行作業車両１の制御装置３０に送信し、自律走行作業車両１が随伴走行作業車両１００の枕地旋回が終了したと判断する。
また、枕地旋回を判断するために、作業機の昇降の代わりに作業機のＰＴＯの入切を検知するＰＴＯ入切検知手段１２４を設けて、その入切の信号により枕地旋回の終了を判断してもよい。
【００４１】
また、枕地旋回を判断するために、随伴走行作業車両１００の走行速度を検知する走行速度検知手段として車速センサ１２７を設けて、車速の増減から枕地旋回の終了を判断してもよい。つまり、随伴走行作業車両１００が圃場端に近づくと走行速度を落とし（または更に停止し）、作業機を上げて低速で旋回し、枕地旋回が終了すると停止して作業機を下げて作業速度に加速して作業を再開する。こうして、枕地旋回の終了を判断できる。
また、枕地旋回を判断するために、走行速度検知手段の代わりに随伴走行作業車両１００の変速位置を検知する変速位置検出手段１２２を設けて、その変速位置信号の変化により枕地旋回の終了を判断してもよい。
また、枕地旋回を判断するために、作業走行速度の代わりに随伴走行作業車両１００のエンジン回転数を検知するエンジン回転数検知手段１２３を設けて、その回転数の増減により枕地旋回の終了を判断してもよい。
【００４２】
次に、併走作業時の枕地旋回の制御について図３乃至図６より説明する。
まず、図３、図４に示すように、自律走行作業車両１が圃場端に至ると（Ｓ１）、作業を停止して、作業機を上昇させ（Ｓ２）、旋回動作に入る（Ｓ３）。図５に示すように、旋回が終了すると（Ｓ４）直進し（Ｓ５）、図６に示すように、設定距離Ｌだけ進行して待機位置に至ったか判断する（Ｓ６）。待機位置まで進行すると停止する（Ｓ７）。この待機位置は隣接行程の作業開始位置であってもよい。
【００４３】
走行を停止した前記待機位置において随伴走行作業車両１００の旋回終了を待つ（Ｓ８）。つまり、随伴走行作業車両１００の旋回終了の判断は、第一実施例として、枕地旋回を随伴走行作業車両１００に設けた操向センサ１２０により検知する。この場合、操向センサ１２０からの信号は制御装置１３０、通信手段を介して遠隔操作装置１１２に送信され、遠隔操作装置１１２の制御装置が枕地旋回したか判断する。枕地旋回が終了すると作業再開信号が送信され作業が再開される（Ｓ１０）。枕地旋回していない場合は随伴走行作業車両１００のオペレータが終了信号を発したか判断する（Ｓ９）。つまり、随伴走行作業車両１００のダッシュボードまたは遠隔操作装置１１２に旋回終了確認スイッチ１１４が設けられ、オペレータが旋回終了確認スイッチ１１４をオンすることにより再開信号が自律走行作業車両１に送信されて自律走行作業車両１の制御装置３０は枕地旋回が終了したと判断し、作業を再開する（Ｓ１０）。なお、旋回終了確認スイッチ１１４は、オペレータが任意に操作して作業を再開できるようにするものであり、例えば、随伴走行作業車両１００が旋回終了する前であっても、旋回途中であっても、旋回終了確認スイッチ１１４をオンすることで、強制的に旋回終了と判断させ、作業を再開させる。こうして自律走行作業車両１が待つ時間を省き作業時間の短縮化を図ることができる。なお、作業再開は走行再開も含むものである。
【００４４】
また、図４乃至図６は自律走行作業車両１と随伴走行作業車両１００が併走し（左右方向に並んで走行し）、同じ作業を行い一度に二倍の幅を作業する実施形態について説明したが、図７、図８に示すように、自律走行作業車両１と随伴走行作業車両１００が前後に並んで別々の作業を行う場合でも前記同様に、自律走行作業車両１が先に旋回して、設定距離Ｌだけ進行して待機し、図８に示すように、随伴走行作業車両１００が枕地旋回を終了するのを待つように制御することも可能である。この場合、１条飛ばして旋回する。
【００４５】
以上のように、衛星測位システムを利用して機体の位置を測位する位置算出手段と、操舵装置を作動させる操舵アクチュエータ４０と、エンジン回転制御手段となるエンジンコントローラ６０と、変速手段４４と、これらを制御する制御装置３０とを備えた自律走行作業車両１を、前記制御装置３０に記憶させた設定走行経路Ｒに沿って自律走行させるとともに、該自律走行作業車両１に随伴走行しながら作業を行う随伴走行作業車両１００に搭載する遠隔操作装置１１２により自律走行作業車両１を操作可能とする併走作業車両の制御システムであって、自律走行作業車両１の制御装置３０は、随伴走行作業車両１００に設けた遠隔操作装置１１２と通信可能とされ、枕地旋回して設定距離走行すると一旦停止し、随伴走行作業車両１００に設けた旋回終了確認スイッチ１１４の再開始信号が遠隔操作装置１１２を介して受信すると、あるいは、随伴走行作業車両１００に設けた操向センサ１２０の検出値が遠隔操作装置１１２を介して自律走行作業車両１の制御装置３０に送信され、随伴走行作業車両１００が旋回して枕地旋回を終了したと認識すると、作業を再開するように制御するので、自律走行作業車両１が旋回した後に、随伴走行作業車両１００と離れることなく、所定の距離を維持したまま作業が続行でき、枕地旋回の度にオペレータが自律走行作業車両１に乗り換えて旋回操作する必要がなく、作業効率を向上できる。
【００４６】
また、第二実施例として、随伴走行作業車両１００が旋回を終了したかどうかは、随伴走行作業車両１００に設けた方位センサ１３２の検出値が遠隔操作装置１１２を介して自律走行作業車両１の制御装置３０に入力され、制御装置３０において随伴走行作業車両１００が枕地旋回したか判断される。つまり、方位センサ１３２により随伴走行作業車両１００の進行方向を検知して、その方位から随伴走行作業車両１００が圃場端でＵターンして枕地旋回が終了したと判断すると、自律走行作業車両１及び随伴走行作業車両１００による作業が再開される。こうして、自律走行作業車両１が旋回した後に、随伴走行作業車両１００と離れることなく、所定の距離を維持したまま作業が続行でき、枕地旋回の度にオペレータが自律走行作業車両１に乗り換えて旋回操作する必要がなく、作業効率を向上できる。
【００４７】
また、第三実施例として、自律走行作業車両１の斜め後方を随伴走行して作業を行う随伴走行作業車両１００を撮影するようにカメラ４２を自律走行作業車両１に取り付ける。例えば、キャビン１１の天井の右後及び左後に取り付けて斜め後方を撮影するようにする。そして、自律走行作業車両１が圃場端に至り枕地旋回しているときは随伴走行作業車両１００は撮影範囲外となる。枕地旋回状態とする。枕地旋回が終了し設定距離走行した後に停止した状態で、カメラ４２で撮影した画像に随伴走行作業車両１００が所定の範囲内の所定の位置に写っているか画像処理して判断する。つまり、随伴走行作業車両１００が所定の撮影範囲内に写っていると、枕地旋回が終了したと判断でき、作業を再開することができる。こうして、自律走行作業車両１が旋回した後に、随伴走行作業車両１００と離れることなく、所定の距離を維持したまま作業が続行でき、枕地旋回の度にオペレータが自律走行作業車両１に乗り換えて旋回操作する必要がなく、作業効率を向上できる。
【００４８】
前記自律走行作業車両の制御装置は、随伴走行作業車両に設けた遠隔操作装置と通信可能とされ、枕地旋回して設定距離走行すると一旦停止し、前記随伴走行作業車両に設けた作業機昇降検知手段の検出値が遠隔操作装置を介して自律走行作業車両の制御装置に送信され、随伴走行作業車両が旋回する前に作業機を上昇し、枕地旋回を終了して作業機を下げたときに枕地旋回の終了と認識すると、作業を再開するように制御する。こうして、自律走行作業車両１が旋回した後に、随伴走行作業車両１００と離れることなく、所定の距離を維持したまま作業が続行でき、枕地旋回の度にオペレータが自律走行作業車両１に乗り換えて旋回操作する必要がなく、作業効率を向上できる。また、作業機昇降検知手段はハンドルポストに設けた昇降スイッチ、または、作業機耕深制御を行うときに利用するリフトアームの回動角センサを利用することで、部品点数を増加することなく、ソフトの追加で実現することができる。
【００４９】
前記自律走行作業車両の制御装置は、随伴走行作業車両に設けた遠隔操作装置と通信可能とされ、枕地旋回して設定距離走行すると一旦停止し、前記随伴走行作業車両に設けた走行速度検知手段の検出値が遠隔操作装置を介して自律走行作業車両の制御装置に送信され、随伴走行作業車両が速度を落として旋回し停止したときを枕地旋回の終了として認識すると、作業を再開するように制御する。こうして、自律走行作業車両１が旋回した後に、随伴走行作業車両１００と離れることなく、所定の距離を維持したまま作業が続行でき、枕地旋回の度にオペレータが自律走行作業車両１に乗り換えて旋回操作する必要がなく、作業効率を向上できる。また、走行速度検知手段は走行制御で利用する速度センサを利用することで、部品点数を増加することなく、ソフトの追加で実現することができる。
【符号の説明】
【００５０】
１      自律走行作業車両
３０    制御装置
４０    操舵アクチュエータ
４２    カメラ
４４    変速手段
６０    エンジンコントローラ
１００  随伴走行作業車両
１１２  遠隔操作装置
１１４  旋回終了確認スイッチ
１２０  操向センサ
１３２  方位センサ
【図１】
2015186473.tif 000003
【図２】
2015186473.tif 000004
【図３】
2015186473.tif 000005
【図４】
2015186473.tif 000006
【図５】
2015186473.tif 000007
【図６】
2015186473.tif 000008
【図７】
2015186473.tif 000009
【図８】
2015186473.tif 000010